(57)【要約】【課題】万一紛失した場合に、記憶されたデータを他人に知られないようにセキュリティー機能を持たせる。【解決手段】コンピュータのＵＳＢソケットに直接接続するためのＵＳＢプラグ２と、該ＵＳＢプラグ２に接続するＵＳＢインターフェース３と、メモリ制御部４と、パスワード等を記憶するレジスタ５と、各種データを記憶する不揮発性記憶素子６とを備え、コンピュータにインストールされたソフトウエアを記憶すると共にコンピュータに存在するユーザのデータを受信し且つ記憶する。そして更にパスワードを記憶し、コンピュータに入力されたパスワードと、記憶されたパスワードとを照合し、不一致の場合には、不揮発性記憶素子６に記憶されたデータを全て消去する。【選択図】図２
2006309370.tif 000002
【特許請求の範囲】
【請求項１】
コンピュータのＵＳＢソケットに直接接続するためのＵＳＢプラグと、該ＵＳＢプラグに接続するＵＳＢインターフェースと、メモリ制御部と、パスワード等を記憶するレジスタと、各種データを記憶する不揮発性記憶素子とを備え、コンピュータにインストールされたソフトウエアを記憶すると共にコンピュータに存在するユーザのデータを受信し且つ記憶することができ、更にパスワードを記憶し、コンピュータに入力されたパスワードと、記憶されたパスワードとを照合し、不一致の場合には、不揮発性記憶素子に記憶されたデータを全て消去するようになしたことを特徴とするフラッシュメモリ。
【請求項２】
パスワードの所定回数の再入力を可能とし、最終回までパスワードが不一致の場合にデータを消去するようになした請求項１記載のフラッシュメモリ。
【請求項３】
フラッシュメモリの現在位置の緯度及び経度に関する情報を検出するＧＰＳを用いた位置検出手段と、該位置検出手段の検出した位置情報を送信する位置情報送信手段とをもって構成する位置情報確認部を備えてなる請求項１又は２記載のフラッシュメモリ。
【発明の詳細な説明】
【技術分野】
【０００１】
本発明はフラッシュメモリに関するものである。
【背景技術】
【０００２】
コンピュータで作成したデータを保存するための記憶媒体として、従来のフレキシブルディスク（ＦＤ）やコンパクトディスク（ＣＤ）に代わるものとして、近時フラッシュメモリが注目されている。
【０００３】
このフラッシュメモリは、小型で携帯に便利であり乍ら、フレキシブルディスク（ＦＤ）の数十倍〜数百倍の大容量である。そしてまたコンピュータのＵＳＢソケットに差し込むだけで使用でき、操作も簡単である。
【発明の開示】
【発明が解決しようとする課題】
【０００４】
フラッシュメモリは、このように数々の利点を有しているが、その反面において小型であり、スーツやワイシャツ等のポケットに入れて持ち運ぶことができるために、落として紛失する虞が高かった。そして、紛失すると、それに記憶されたデータはそれを拾った他人に知られることになり、勝手に悪用される虞もある。
【０００５】
本発明は上記の点に鑑みなされたものであって、予め記憶されたパスワードと、拾った他人等がコンピュータに入力したパスワードとが不一致の場合には、記憶されたデータを全て消去するようになした、セキュリティー機能を有するフラッシュメモリを提供せんとするものである。
【課題を解決するための手段】
【０００６】
而して、本発明の要旨とするところは、コンピュータのＵＳＢソケットに直接接続するためのＵＳＢプラグと、該ＵＳＢプラグに接続するＵＳＢインターフェースと、メモリ制御部と、パスワード等を記憶するレジスタと、各種データを記憶する不揮発性記憶素子とを備え、コンピュータにインストールされたソフトウエアを記憶すると共にコンピュータに存在するユーザのデータを受信し且つ記憶することができ、更にパスワードを記憶し、コンピュータに入力されたパスワードと、記憶されたパスワードとを照合し、不一致の場合には、不揮発性記憶素子に記憶されたデータを全て消去するようになしたことを特徴とするフラッシュメモリにある。
【０００７】
また、上記構成において、パスワードの所定回数の再入力を可能とし、最終回までパスワードが不一致の場合にデータを全て消去するようになしてもよい。
【０００８】
また、上記構成において、フラッシュメモリの現在位置の緯度及び経度に関する情報を検出するＧＰＳ（Ｇｌｏｂａｌ  Ｐｏｓｉｔｉｏｎｉｎｇ  Ｓｙｓｔｅｍ）を用いた位置検出手段と、該位置検出手段の検出した位置情報を送信する位置情報送信手段とをもって構成する位置情報確認部を備えるようにしてもよい。この場合には紛失したフラッシュメモリの現在位置を把握することができ、確実且つ迅速に回収することがてきるものである。
【発明の効果】
【０００９】
本発明は上記の如き構成であり、予め記憶されたパスワードと、拾った他人等がコンピュータに入力したパスワードとが不一致の場合には、記憶されたデータを全て消去するようになしたものであるから、万一紛失した場合においても、記憶された個人情報等を含むデータ等を他人に知られたり、勝手に悪用されたりする虞がないものである。
【００１０】
また、フラッシュメモリの現在位置の緯度及び経度に関する情報を検出するＧＰＳ（Ｇｌｏｂａｌ  Ｐｏｓｉｔｉｏｎｉｎｇ  Ｓｙｓｔｅｍ）を用いた位置検出手段と、該位置検出手段の検出した位置情報を送信する位置情報送信手段とをもって構成する位置情報確認部を備えた場合には、紛失したフラッシュメモリの現在位置を把握することができ、確実且つ迅速に回収することがてきるものである。
【発明を実施するための最良の形態】
【００１１】
本発明を実施するための最良の形態は、パスワードを記憶し、コンピュータに入力されたパスワードと、記憶されたパスワードとを照合し、不一致の場合には、不揮発性記憶素子に記憶されたデータを全て消去するようになすことにある。
【実施例】
【００１２】
以下、本発明の実施例について説明する。
図１はプラグキャップを外した状態における斜視図、図２はブロック図、図３はコンピュータへのパスワードの入力からデータの消去までのステップを示すフローチャートである。
【００１３】
図中、１はフラッシュメモリであり、コンピュータのＵＳＢソケットに直接接続するためのＵＳＢプラグ２と、該ＵＳＢプラグ２に接続するＵＳＢインターフェース３と、メモリ制御部４と、パスワード・パスワードの入力回数等を記憶するレジスタ５と、各種データを記憶する不揮発性記憶素子６とを備え、コンピュータにインストールされたソフトウエアを記憶すると共にコンピュータに存在するユーザのデータを受信し且つ記憶することができ、更にパスワードを記憶し、コンピュータに入力されたパスワードと、記憶されたパスワードとを照合し、不一致の場合には、不揮発性記憶素子６に記憶されたデータを全て消去するようになしたものである。尚、１ａはプラグキャップである。
【００１４】
また、本実施例に係るフラッシュメモリ１は、パスワードの所定回数の再入力を可能とし、最終回までパスワードが不一致の場合にデータを消去するようになしている。
【００１５】
更にまた、本実施例に係るフラッシュメモリ１は、該フラッシュメモリ１の現在位置の緯度及び経度に関する情報を検出するＧＰＳ（Ｇｌｏｂａｌ  Ｐｏｓｉｔｉｏｎｉｎｇ
Ｓｙｓｔｅｍ）を用いた位置検出手段７ａと、該位置検出手段７ａの検出した位置情報を送信する位置情報送信手段７ｂとをもって構成する位置情報確認部７を備えている。そして、該位置情報送信手段７ｂからの送信をユーザの所持する受信機８によって受信し、フラッシュメモリ１の現在位置を確認するものである。尚、受信機８のディスプレイには地図に現在位置を示した状態で表示する。また、該位置情報確認部７は、常時作動するようにしてもよいが、ユーザの所持する受信機８から作動指令信号を送信したときに作動を開始するようになしてもよい。また、その他図において９はパーソナルコンピュータ、１０は該パーソナルコンピュータ９のＵＳＢソケットである。
【００１６】
次に、上記実施例に係るフラッシュメモリのパスワードの入力から不揮発性記憶素子に記憶されたデータの消去までの流れを説明する。図３に示す如く、フラッシュメモリ１のＵＳＢプラグ２をパーソナルコンピュータ９のＵＳＢソケット１０に差し込んで接続すると、メモリ制御部４からパーソナルコンピュータ９にパスワードを入力するよう要求する。そこで、この要求に応じてパーソナルコンピュータ９にユーザ又はフラッシュメモリを拾った他人等がパスワードを入力すると、メモリ制御部４においてレジスタ５に記憶されたパスワードと該入力されたパスワードとの照合を行う。照合の結果、一致した場合には、そのまま不揮発性記憶素子６の読み込み、書き込み、消去等を行うことができ、また不一致の場合には、再度のパスワードの入力を要求し、所定の回数、例えば３回まで再入力が可能な場合において、３回目までの入力が一致すれば不揮発性記憶素子６の読み込み、書き込み、消去等を行うことができ、不一致であればメモリ制御部４により不揮発性記憶素子６の記憶データを全て一括消去するものである。
【００１７】
また、本実施例に係るフラッシュメモリ１は、該フラッシュメモリ１の現在位置の緯度及び経度に関する情報を検出するＧＰＳ（Ｇｌｏｂａｌ  Ｐｏｓｉｔｉｏｎｉｎｇ  Ｓｙｓｔｅｍ）を用いた位置検出手段７ａと、該位置検出手段７ａの検出した位置情報を送信する位置情報送信手段７ｂとをもって構成する位置情報確認部７を備えているから、フラッシュメモリ１を紛失した場合に現在位置を把握することができ、したがって確実且つ迅速に回収することがてきるものである。
【図面の簡単な説明】
【００１８】
【図１】本発明の実施例に係るフラッシュメモリのプラグキャップを外した状態における斜視図である。
【図２】本発明の実施例に係るフラッシュメモリの構成を示すブロック図である。
【図３】本発明の実施例に係るフラッシュメモリのコンピュータへのパスワードの入力からデータの消去までのステップを示すフローチャートである。
【符号の説明】
【００１９】
１  フラッシュメモリ
２  ＵＳＢプラグ
３  ＵＳＢインターフェース
４  メモリ制御部
５  レジスタ
６  不揮発性記憶素子
７  位置情報確認部
７ａ  位置検出手段
７ｂ  位置情報送信手段
【図１】
2006309370.tif 000003
【図２】
2006309370.tif 000004
【図３】
2006309370.tif 000005